(57)【要約】【課題】複数の装置の配置状態を管理することが可能な有用な情報処理システム、情報処理装置、情報処理方法、プログラム、及び画像表示装置を提供すること。【解決手段】本技術の一形態に係る画像表示装置は、表示部と、複数の隣接部と、送信部と、受信部とを具備する。前記表示部は、画像を表示可能である。前記複数の隣接部は、所定の位置関係で前記表示部に設置される。前記送信部は、前記複数の隣接部のうち少なくとも２つに設置され、近距離無線通信によりデータを送信可能である。前記受信部は、前記複数の隣接部のうち少なくとも１つに設置され、前記他の画像表示装置の前記送信部から前記近距離無線通信によりデータを受信可能である。【選択図】図５
2015059948.tif 000002
【特許請求の範囲】
【請求項１】
画像を表示可能な表示部と、
所定の位置関係で前記表示部に設置された複数の隣接部と、
前記複数の隣接部のうち少なくとも２つに設置された、近距離無線通信によりデータを送信可能な送信部と、
前記複数の隣接部のうち少なくとも１つに設置された、前記他の画像表示装置の前記送信部から前記近距離無線通信によりデータを受信可能な受信部と
を具備する画像表示装置。
【請求項２】
請求項１に記載の画像表示装置であって、
前記送信部は、前記他の画像表示装置の前記複数の隣接部のうち近傍となる隣接部を近傍隣接部として、前記近傍隣接部までを含む範囲で前記データを送信可能であり、
前記受信部は、前記近傍隣接部までを含む範囲で前記近傍隣接部に設置された前記他の画像表示装置の前記送信部からデータを受信可能である
画像表示装置。
【請求項３】
請求項１に記載の画像表示装置であって、
前記表示部は、多角形状を有し、
前記複数の隣接部は、前記多角形状のそれぞれの頂点部である
画像表示装置。
【請求項４】
請求項１に記載の画像表示装置であって、
前記表示部は、矩形状を有し、
前記送信部は、前記複数の隣接部となる４つの角部にそれぞれ設置され
前記受信部は、前記４つの角部のうち所定の第１の角部に少なくとも設置される
画像表示装置。
【請求項５】
請求項４に記載の画像表示装置であって、
前記受信部は、前記４つの角部のうち前記第１の角部と、前記第１の角部の対角の位置にある第２の角部とに少なくとも設置される
画像表示装置。
【請求項６】
請求項４に記載の画像表示装置であって、
前記受信部は、前記４つの角部にそれぞれ設置される
画像表示装置。
【請求項７】
請求項１に記載の画像表示装置であって、
前記表示部は、矩形状を有し、
前記受信部は、前記複数の隣接部となる４つの角部のうち所定の第１の角部に少なくとも設置され、
前記送信部は、前記４つの角部のうち前記第１の角部を除く他の３つの角部のうち２つの角部にそれぞれ設置される
画像表示装置。
【請求項８】
請求項１に記載の画像表示装置であって、
前記表示部は、使用される向きとして上下の向きが定まっており、前記上下の向きが前記他の画像表示装置の表示部と揃えられて配置される
画像表示装置。
【請求項９】
請求項５に記載の画像表示装置であって、
前記表示部は、長手方向と短手方向とをそれぞれ有し、前記短手方向を上下方向として上下の向きがいずれの向きでも使用可能であり、
前記受信部は、前記第１及び前記第２の角部にそれぞれ設置される
画像表示装置。
【請求項１０】
請求項１に記載の画像表示装置であって、
配置の向きを検出可能な検出部をさらに具備する
画像表示装置。
【請求項１１】
請求項１に記載の画像表示装置であって、
前記送信部は、ＲＦＩＤ（Radio Frequency IDentification）タグであり、
前記受信部は、ＲＦＩＤリーダである
画像表示装置。
【請求項１２】
複数の単位装置の動作の少なくとも一部を制御可能な情報処理装置であって、
前記複数の単位装置の各々は、
所定の位置関係を有する複数の隣接部と、
前記複数の隣接部のうち少なくとも２つに設置された、近距離無線通信によりデータを送信可能な送信部と、
前記複数の隣接部のうち少なくとも１つに設置された、前記他の単位装置の前記送信部から前記近距離無線通信によりデータを受信可能な受信部と
を有しており、
前記複数の単位装置の各々が有する前記受信部が前記近距離無線通信により前記送信部から受信した前記データを受信するデータ受信部と、
前記受信したデータをもとに、前記複数の単位装置の配置状態を算出可能な算出部と
を具備する情報処理装置。
【請求項１３】
請求項１２に記載の情報処理装置であって、
前記複数の単位装置の各々が有する前記送信部及び前記受信部は、前記他の単位装置の前記複数の隣接部のうち近傍となる隣接部を近傍隣接部として、前記近傍隣接部までを含む範囲で前記近距離無線通信が可能であり、
前記情報処理装置は、前記データ受信部が受信したデータをもとに、前記受信部が設置された前記隣接部の近傍となる前記送信部が設置された前記近傍隣接部を有する前記他の単位装置を判定可能であり、前記他の単位装置の前記複数の隣接部の中における前記送信部が設置された前記近傍隣接部の位置を判定可能な判定部をさらに具備し、
前記算出部は、前記判定部による前記近傍隣接部を有する前記他の単位装置の判定結果と、前記近傍隣接部の位置の判定結果とをもとに、前記複数の単位装置の配置状態を算出可能である
情報処理装置。
【請求項１４】
請求項１３に記載の情報処理装置であって、
前記複数の単位装置の各々は、使用される向きとして上下の向きが定まっており、前記上下の向きが前記他の単位装置と揃えられて配置され、
前記情報処理装置は、前記判定部による判定結果をもとに、前記複数の単位装置のうち前記上下の向きが誤って配置された前記単位装置を検知可能である検知部をさらに具備する
情報処理装置。
【請求項１５】
請求項１２に記載の情報処理装置であって、
前記複数の単位装置の各々は、配置の向きを検出可能な検出部を有し、
前記算出部は、前記検出部により検出された前記単位装置ごとの前記配置の向きをもとに、前記複数の単位装置の配置状態を算出可能である
情報処理装置。
【請求項１６】
複数の単位装置の動作の少なくとも一部を制御可能なコンピュータにより実行される情報処理方法であって、
前記複数の単位装置の各々は、
所定の位置関係を有する複数の隣接部と、
前記複数の隣接部のうち少なくとも２つに設置された、近距離無線通信によりデータを送信可能な送信部と、
前記複数の隣接部のうち少なくとも１つに設置された、前記他の単位装置の前記送信部から前記近距離無線通信によりデータを受信可能な受信部と
を有しており、
前記コンピュータが、
前記複数の単位装置の各々が有する前記受信部が前記近距離無線通信により前記送信部から受信した前記データを受信し、
前記受信したデータをもとに、前記複数の単位装置の配置状態を算出する
情報処理方法。
【請求項１７】
複数の単位装置の動作の少なくとも一部を制御可能なコンピュータに情報処理を実行させるプログラムであって、
前記複数の単位装置の各々は、
所定の位置関係を有する複数の隣接部と、
前記複数の隣接部のうち少なくとも２つに設置された、近距離無線通信によりデータを送信可能な送信部と、
前記複数の隣接部のうち少なくとも１つに設置された、前記他の単位装置の前記送信部から前記近距離無線通信によりデータを受信可能な受信部と
を有しており、
前記コンピュータに、
前記複数の単位装置の各々が有する前記受信部が前記近距離無線通信により前記送信部から受信した前記データを受信するステップと、
前記受信したデータをもとに、前記複数の単位装置の配置状態を算出するステップと
を実行させるプログラム。
【請求項１８】
複数の単位装置と、前記複数の単位装置の動作の少なくとも一部を制御可能な制御装置とを具備する情報処理システムであって、
前記複数の単位装置の各々は、
所定の位置関係を有する複数の隣接部と、
前記複数の隣接部のうち少なくとも２つに設置された、近距離無線通信によりデータを送信可能な送信部と、
前記複数の隣接部のうち少なくとも１つに設置された、前記他の単位装置の前記送信部から前記近距離無線通信によりデータを受信可能な受信部と
を有し、
前記制御装置は、
前記複数の単位装置の各々が有する前記受信部が前記近距離無線通信により前記送信部から受信した前記データを受信するデータ受信部と、
前記受信したデータをもとに、前記複数の単位装置の配置状態を算出可能な算出部と
を有する
情報処理システム。
【発明の詳細な説明】
【技術分野】
【０００１】
本技術は、マルチディスプレイ等の装置を複数並べて使用するシステムを制御するための情報処理システム、情報処理装置、情報処理方法、プログラム、及び画像表示装置に関する。
【背景技術】
【０００２】
特許文献１に記載のように、複数のモニタ（単位モニタ）をマトリクス状に配置して全体で１つの映像を表示するマルチ画面表示装置（マルチスクリーン）が普及している。特許文献１には、ユーザの入力に頼らすとも、マトリクス状に配置された複数の単位モニタの位置をそれぞれ把握することを目的とした技術が開示されている（特許文献１の段落［０００２］［０００８］等）。
【０００３】
特許文献１の図３に示されるように、単位モニタ１１０の４つの側面には、隣接する４方向の他の単位モニタ１１０に対して判定信号を送信する信号送信部２０４が設けられる。また単位モニタ１１０の４つの側面には、他の単位モニタ１１０から送信された判定信号を受信する信号受信部２０６が設けられる。信号受信部２０６により受信された判定信号の内容をもとに、複数の単位モニタ１１０の位置が把握される（特許文献１の段落［００２３］［００２４］［００６０］等）。
【先行技術文献】
【特許文献】
【０００４】
【特許文献１】特開２０１２−８３４０３号公報
【発明の概要】
【発明が解決しようとする課題】
【０００５】
上記したマルチ画面表示装置のような、複数の装置が並べられて使用されるシステムにおいて、複数の装置の位置関係を管理可能な有用な技術が求められる。
【０００６】
以上のような事情に鑑み、本技術の目的は、複数の装置の配置状態を管理することが可能な有用な情報処理システム、情報処理装置、情報処理方法、プログラム、及び画像表示装置を提供することにある。
【課題を解決するための手段】
【０００７】
上記目的を達成するため、本技術の一形態に係る画像表示装置は、表示部と、複数の隣接部と、送信部と、受信部とを具備する。
前記表示部は、画像を表示可能である。
前記複数の隣接部は、所定の位置関係で前記表示部に設置される。
前記送信部は、前記複数の隣接部のうち少なくとも２つに設置され、近距離無線通信によりデータを送信可能である。
前記受信部は、前記複数の隣接部のうち少なくとも１つに設置され、前記他の画像表示装置の前記送信部から前記近距離無線通信によりデータを受信可能である。
【０００８】
この画像表示装置では、表示部に複数の隣接部が設置される。そして複数の隣接部に近距離無線通信が可能な送信部と受信部とがそれぞれ設置される。これにより他の画像表示装置の隣接部に設置された送信部から近距離無線通信によりデータを受信することが可能となる。この結果、各受信部が受信したデータをもとに複数の画像表示装置の配置状態を管理することが可能となる。
【０００９】
前記送信部は、前記他の画像表示装置の前記複数の隣接部のうち近傍となる隣接部を近傍隣接部として、前記近傍隣接部までを含む範囲で前記データを送信可能であってもよい。この場合、前記受信部は、前記近傍隣接部までを含む範囲で前記近傍隣接部に設置された前記他の画像表示装置の前記送信部からデータを受信可能であってもよい。
この画像表示装置では、送信部及び受信部は、近傍隣接部までを含む範囲において近距離無線通信が可能である。受信部は、受信部が設置された隣接部の近傍となる近傍隣接部に設置された送信部からデータを受信する。各受信部が受信したデータをもとに、送信部が設置された近傍隣接部がどの画像表示装置のものであるか、また他の画像表示装置のどの位置にあたる隣接部であるかを判定することが可能である。この結果複数の画像表示装置の配置状態を算出して管理することが可能となる。
【００１０】
前記表示部は、多角形状を有してもよい。この場合、前記複数の隣接部は、前記多角形状のそれぞれの頂点部であってもよい。
これにより複数の隣接部を設定するための負担を軽減することが可能となる。
【００１１】
前記表示部は、矩形状を有してもよい。この場合、前記送信部は、前記複数の隣接部となる４つの角部にそれぞれ設置されてもよい。また前記受信部は、前記４つの角部のうち所定の第１の角部に少なくとも設置されてもよい。
このように所定の第１の角部に受信部が設置されて配置状態が算出されてもよい。
【００１２】
前記受信部は、前記４つの角部のうち前記第１の角部と、前記第１の角部の対角の位置にある第２の角部とに少なくとも設置されてもよい。
このように第１及び第２の角部に受信部が設置されて配置状態が算出されてもよい。
【００１３】
前記受信部は、前記４つの角部にそれぞれ設置されてもよい。
このように４つの角部に受信部が設置されて配置状態が算出されてもよい。
【００１４】
前記表示部は、矩形状を有してもよい。この場合、前記受信部は、前記複数の隣接部となる４つの角部のうち所定の第１の角部に少なくとも設置されてもよい。また前記送信部は、前記４つの角部のうち前記第１の角部を除く他の３つの角部のうち２つの角部にそれぞれ設置されてもよい。
このように所定の第１の角部に受信部が設置され、他の２つの角部に送信部が設置されてもよい。このような構成でも配置状態を算出することが可能となる。
【００１５】
前記表示部は、使用される向きとして上下の向きが定まっており、前記上下の向きが前記他の画像表示装置の表示部と揃えられて配置されてもよい。
上下の向きが誤って配置された場合に、各受信部が受信したデータをもとに、その誤配置を検知することが可能となる。
【００１６】
前記表示部は、長手方向と短手方向とをそれぞれ有し、前記短手方向を上下方向として上下の向きがいずれの向きでも使用可能であってもよい。この場合、前記受信部は、前記第１及び前記第２の角部にそれぞれ設置されてもよい。
このように表示画面が上下のいずれの向きで使用可能であっても、配置状態を算出することが可能である。
【００１７】
前記画像表示装置は、配置の向きを検出可能な検出部をさらに具備してもよい。
これにより向きの情報を用いて、容易に配置状態を算出することが可能となる。
【００１８】
前記送信部は、ＲＦＩＤ（Radio Frequency IDentification）タグであってもよい。また前記受信部は、ＲＦＩＤリーダであってもよい。
ＲＦＩＤタグ及びリーダは、比較的な構成が単純であり、また部品コストも低い。これにより、単位装置の構成が複雑になることを避けることができ、またコストを抑えることが可能である。
【００１９】
本技術の一形態に係る情報処理装置は、複数の単位装置の動作の少なくとも一部を制御可能であり、前記複数の単位装置の各々は、複数の隣接部と、送信部と、受信部とを有する。
前記複数の隣接部は、所定の位置関係を有する。
前記送信部は、前記複数の隣接部のうち少なくとも２つに設置され、近距離無線通信によりデータを送信可能である。
前記受信部は、前記複数の隣接部のうち少なくとも１つに設置され、前記他の単位装置の前記送信部から前記近距離無線通信によりデータを受信可能である。
前記情報処理装置は、データ受信部と、算出部とを具備する。
前記データ受信部は、前記複数の単位装置の各々が有する前記受信部が前記近距離無線通信により前記送信部から受信した前記データを受信する。
前記算出部は、前記受信したデータをもとに、前記複数の単位装置の配置状態を算出可能である。
この情報処理装置によれば、単位装置の各々が有する受信部が受信したデータをもとに、複数の単位装置の配置状態を算出して管理することが可能となる。
【００２０】
前記複数の単位装置の各々が有する前記送信部及び前記受信部は、前記他の単位装置の前記複数の隣接部のうち近傍となる隣接部を近傍隣接部として、前記近傍隣接部までを含む範囲で前記近距離無線通信が可能であってもよい。
この場合、前記情報処理装置は、判定部をさらに具備してもよい。
前記判定部は、前記データ受信部が受信したデータをもとに、前記受信部が設置された前記隣接部の近傍となる前記送信部が設置された前記近傍隣接部を有する前記他の単位装置を判定可能であり、前記他の単位装置の前記複数の隣接部の中における前記送信部が設置された前記近傍隣接部の位置を判定可能である。
前記算出部は、前記判定部による前記近傍隣接部を有する前記他の単位装置の判定結果と、前記近傍隣接部の位置の判定結果とをもとに、前記複数の単位装置の配置状態を算出可能であってもよい。
この情報処理装置では、判定部により、各受信部が受信したデータをもとに、送信部が設置された近傍隣接部がどの画像表示装置のものであるか、また他の画像表示装置のどの位置にあたる隣接部であるかが判定される。この判定結果をもとに、複数の単位装置の配置状態を算出して管理することができる。
【００２１】
前記複数の単位装置の各々は、使用される向きとして上下の向きが定まっており、前記上下の向きが前記他の単位装置と揃えられて配置されてもよい。
この場合、前記情報処理装置は、検知部をさらに具備してもよい。
前記検知部は、記判定部による判定結果をもとに、前記複数の単位装置のうち前記上下の向きが誤って配置された前記単位装置を検知可能である。
これにより誤配置や不正な配置等を迅速に発見することが可能となる。
【００２２】
前記複数の単位装置の各々は、配置の向きを検出可能な検出部を有してもよい。
この場合、前記算出部は、前記検出部により検出された前記単位装置ごとの前記配置の向きをもとに、前記複数の単位装置の配置状態を算出可能であってもよい。
このように単位装置のそれぞれの向きが算出されてもよい。向きの情報が用いられることで、容易に配置状態を算出することが可能となる。
【００２３】
本技術の一形態に係る情報処理方法は、前記複数の単位装置の動作の少なくとも一部を制御可能なコンピュータにより実行される情報処理方法であって、前記複数の単位装置の各々が有する前記受信部が前記近距離無線通信により前記送信部から受信した前記データを受信することを含む。
前記受信したデータをもとに、前記複数の単位装置の配置状態が算出される。
情報処理方法。
【００２４】
本技術の一形態に係るプログラムは、前記複数の単位装置の動作の少なくとも一部を制御可能なコンピュータに以下のステップを実行させる。
前記複数の単位装置の各々が有する前記受信部が前記近距離無線通信により前記送信部から受信した前記データを受信するステップ。
前記受信したデータをもとに、前記複数の単位装置の配置状態を算出するステップ。
【００２５】
本技術の一形態に係る情報処理システムは、複数の単位装置と、前記複数の単位装置の動作の少なくとも一部を制御可能な制御装置とを具備する。
前記複数の単位装置の各々は、複数の隣接部と、送信部と、受信部とを有する。
前記複数の隣接部は、所定の位置関係を有する。
前記送信部は、前記複数の隣接部のうち少なくとも２つに設置され、近距離無線通信によりデータを送信可能である。
前記受信部は、前記複数の隣接部のうち少なくとも１つに設置され、前記他の単位装置の前記送信部から前記近距離無線通信によりデータを受信可能である。
前記制御装置は、データ受信部と、算出部とを有する。
前記データ受信部は、前記複数の単位装置の各々が有する前記受信部が前記近距離無線通信により前記送信部から受信した前記データを受信する。
前記算出部は、前記受信したデータをもとに、前記複数の単位装置の配置状態を算出可能である。
【発明の効果】
【００２６】
以上のように、本技術によれば、複数の単位装置の配置状態を管理することが可能な有用な情報処理システム、情報処理装置、情報処理方法、プログラム、及び画像表示装置を提供することができる。なお、ここに記載された効果は必ずしも限定されるものではなく、本開示中に記載されたいずれかの効果であってもよい。
【図面の簡単な説明】
【００２７】
【図１】第１の実施形態に係る画像表示システムの構成例を示す模式的な図である。
【図２】画像表示装置のタグ情報の通信に関する機能的なブロック図である。
【図３】統合制御装置のハードウェア構成例を示す模式的なブロック図である。
【図４】統合制御装置の機能的な構成例を示す模式的なブロック図である。
【図５】統合制御装置による配置状態の算出処理を説明するための図である。
【図６】全体形状が矩形状ではない配置例を示す模式的な図である。
【図７】上下の向きを誤って画像表示装置が配置された状態を示す図である。
【図８】第２の実施形態に係る画像表示装置を示す模式的な図である。
【図９】リーダの数を１つとした他の配置例について説明するための図である。
【図１０】リーダの数を１つとした他の配置例について説明するための図である。
【図１１】リーダの数を１つとした他の配置例について説明するための図である。
【図１２】上下の向きを誤って画像表示装置が配置された状態を示す図である。
【図１３】第３の実施形態に係る配置状態の一例を示す模式的な図である。
【図１４】本実施形態に係る配置状態の算出の流れを示すフローチャートである。
【図１５】ｃｈｅｃｋ_ｇｒｉｄ（ｃｕｒ）の流れを示すフローチャートである。
【図１６】図１３に示す位置関係で全体の向きが異なる配置状態を示す図である。
【図１７】本実施形態における隣接しているグリッド、及びその向きの判定方法の一例を説明するための図である。
【図１８】本実施形態における隣接しているグリッド、及びその向きの判定方法の一例を説明するための図である。
【図１９】本技術の第４の実施形態に係る配置状態の一例を示す模式的な図である。
【図２０】本技術の第５の実施形態に係る配置状態の一例を示す模式的な図である。
【図２１】本技術の第６の実施形態に係る配置状態の一例を示す模式的な図である。
【発明を実施するための形態】
【００２８】
以下、本技術に係る実施形態を、図面を参照しながら説明する。
【００２９】
＜第１の実施形態＞
［画像表示システムの構成］
図１は、本技術の第１の実施形態に係る情報処理システムとしての、画像表示システムの構成例を示す模式的な図である。画像表示システム１００は、複数の画像表示装置１０と、複数の画像表示装置１０の動作の少なくとも一部を制御可能な統合制御装置５０とを有する。複数の画像表示装置１０と統合制御装置５０とは接続されており互いに通信が可能となっている。
【００３０】
複数の画像表示装置１０及び統合制御装置５０の接続形態や接続方式等は限定されない。無線による接続でもよいし、有線による接続でもよい。また例えばＬＡＮ（Local Area Network）やＷＡＮ（Wide Area Network）等のネットワークにより、複数の画像表示装置１０及び統合制御装置５０が接続されてもよい。その他、接続のための任意の構成が用いられてよい。
【００３１】
複数の画像表示装置１０は、２次元状に配置されて使用可能である。これらが２次元状に配置されることで、大画面での画像表示が可能となる。本実施形態では、互いに等しい機能を有する同種類の画像表示装置が、複数の画像表示装置１０として用いられる。互いに異なる機能を有する異なる種類の画像表示装置が、複数の画像表示装置１０として用いられてもよい。複数の画像表示装置１０は、本実施形態において、複数の単位装置に相当する。
【００３２】
図１に示すように、画像表示装置１０の各々は、正面方向から見て矩形状を有している。また画像表示装置１０は、互いに等しい大きさのものが用いられる。画像表示装置１０は、画像を表示可能な表示部２５として、表示画面１１と、表示画面１１の周縁を囲む周縁部としてのフレーム１２とを有する。この表示部２５の形状が、画像表示装置１０の外形状となる。従って本実施形態では、表示部２５は、矩形状を有することになる。
【００３３】
典型的には表示部２５の形状は、フレーム１２の形状により規定される。例えば矩形状の表示画面１１の周縁に任意の多角形状のフレーム１２が設置された場合、表示部２５の形状は多角形状となる。表示画面１１及びフレーム１２の形状は、略等しくてもよいし、互いに異なってもよい。なおフレーム１２は、表示画面１１の周りの全ての領域を囲むように設置される場合に限定されない。
【００３４】
画像表示装置１０の内部には、図示しない制御部が設けられる。制御部は、例えばＣＰＵ（Central Processing Unit）、ＲＯＭ（Read Only Memory）、及びＲＡＭ（Random Access Memory）等を有する。ＣＰＵがＲＯＭに記録されている制御用プログラムをＲＡＭにロードして実行することにより、画像表示装置１０の各機構が制御される。例えは統合制御装置５０の指示をもとに、大きい画像を構成する部分的な画像が表示画面１１に表示される。制御部の構成は限定されず、任意のハードウェア及びソフトウェアが用いられてよい。その他、画像を表示するための任意の構成が用いられてよい。
【００３５】
また画像表示装置１０は、複数の隣接部１３と、複数の隣接部１３に設置される送信部としての（Radio Frequency Identification「電波による個体識別」）タグ１４（以下、単にタグ１４と記載する）と、同じく複数の隣接部１３に設置される受信部としてのＲＦＩＤリーダ１５（以下、単にリーダ１５と記載する）とを有する。
【００３６】
複数の隣接部１３は、所定の位置関係で表示部２５に設置される部分である。典型的には、矩形状のフレーム１２の４つの角部１６が複数の隣接部１３として定められる。４つの角部１６は、右下の角部１６ａ、右上の角部１６ｂ、左下の角部１６ｃ、左上の角部１６ｄとして所定の位置関係を有しており、どの角部１６が隣接するかによって、隣り合う画像表示装置１０同士の位置関係が判定可能である。
【００３７】
画像表示装置１０同士の位置関係が判定可能であるのならば、４つの角部１６とは異なる位置に、複数の隣接部１３が定められてもよい。例えばフレーム１２の４つの辺部１７の各中央部分が、複数の隣接部１３として用いられてもよい。その他の位置に、複数の隣接部１３が定められてもよい。
【００３８】
なお画像表示装置１０の正面方向からみた外形状（表示部２５の形状）が多角形状である場合、多角形状のそれぞれの頂点部が複数の隣接部１３として定められればよい。頂点部とは、各頂点の付近の部分である。これにより複数の隣接部１３を設定するための負担を軽減することが可能となる。なお多角形状とは、先端が鋭角の場合に限定されず、先端がある程度丸みを帯びた形状も含む。
【００３９】
タグ１４及びリーダ１５は、所定の範囲を通信可能範囲Ｏとして、複数の角部１６にそれぞれ設置される。図１に示す画像表示装置１０Ａの右下の角部１６ａを参照に通信可能範囲Ｏについて説明する。画像表示装置１０Ａの周辺に配置された他の画像表示装置１０Ｂ−Ｄがそれぞれ有する角部１６のうち、２次元状の配置により画像表示装置１０Ａの右下の角部１６ａの近傍となる角部１６を、近傍角部（近傍隣接部）１８とする。図１に示す例では、画像表示装置１０Ｂの左下の角部１６ｃ、画像表示装置１０Ｃの右上の角部１６ｂ、及び画像表示装置１０Ｄの左上の角部１６ｄが、それぞれ近傍角部１８となる。この近傍角部１８までを含む範囲（破線の円で示す範囲）が、本実施形態において通信可能範囲Ｏとなる。
【００４０】
近傍角部１８までを含む範囲で近距離無線通信によりデータを送信可能な送信部として、タグ１４が設置される。また近傍角部１８までを含む範囲において近傍角部１８に設置された他の画像表示装置１０のタグ１４から近距離無線通信によりデータを受信可能な受信部として、リーダ１５が設置される。これにより近傍角部１８に関するデータがタグ１４からリーダ１５に送信され、近傍角部１８同士の位置関係が判定可能となる。
【００４１】
このように本技術に係る送信部及び受信部としては、近傍角部１８までを含む範囲を通信可能範囲Ｏとして、近距離無線通信が可能であるものが用いられる。また通信の指向性が低く、通信可能範囲Ｏ内であれば、複数の送信部と受信部とにより無線通信が可能であるものが用いられる。そのような送信部及び受信部の典型的な例として、ＲＦＩＤタグ１４及びＲＦＩＤリーダ１５が使用可能である。
【００４２】
通信可能範囲Ｏの具体的な大きさは限定されず、近傍角部１８までを含む範囲にて近距離無線通信が実行されるのであれば、適宜設定されてよい。すなわち所定の距離以下で無線通信が可能であれば、タグ１４及びリーダ１５の通信可能範囲は適宜設定されてよい。典型的には、数ｍｍ〜数十ｃｍ程度の通信可能距離を有するタグ１４及びリーダ１５が用いられる。通信可能な距離は、２次元状に配置される画像表示装置１０の間隔や、フレーム１２の幅等をもとに設定されればよい。例えば通信可能な距離が、図１に示す４辺部のうち短辺１７ａの長さの半分以下であれば、近傍角部１８までを含む範囲での近距離無線通信が実現される。すなわち画像表示装置１０の大きさ等をもとに、通信可能範囲Ｏが設定されてもよい。
【００４３】
タグ１４及びリーダ１５の具体的な構成も限定されない。本実施形態では、リーダ１５からの電波をエネルギー源として動作するパッシブタグ（受動タグ）が用いられる。これによりシステムの構成を簡素化することができる。これに代えて、アクティブタグ（能動タグ）や双方を組み合わせた（セミアクティブタグ）が用いられてもよい。また通信方式も限定されず、電波方式や電磁誘導方式等、任意の通信方式が用いられてよい。
【００４４】
図１に示すように、本実施形態では、４つの角部１６の全てにタグ１４及びリーダ１５がそれぞれ配置される。各タグ１４は、画像表示装置１０の各ＩＤと、タグ１４が設置されている位置（右下、右上、左下、左上）の情報を無線により通信可能である。例えば図１に示す画像表示装置１０Ｂの左下の角部１６ｃに設置されたタグ１４からは、画像表示装置１０ＢのＩＤと、左下である旨の情報が通信される。近傍の角部１５にあるリーダ１５により、そのタグ情報が受信される。
【００４５】
図２は、画像表示装置１０のタグ情報の通信に関する機能的なブロック図である。画像表示装置１０は、タグ１４と、リーダ１５と、リーダ制御部１９と、通信制御部２０と、通信部２１とを有する。リーダ制御部１９及び通信制御部２０は、所定のプログラムをＣＰＵ２２が実行することで実現される。通信部２１は、統合制御装置５０と通信するための通信装置であり、例えばＬＡＮ、ＷＡＮ等に接続可能なモデムやルータ等が用いられる。通信部２１は、画像表示装置１０とは別体で用いられる場合がある。
【００４６】
リーダ１５の無線受信部２３により、近傍角部１８に設置された他の画像表示装置１０のタグ１４からの通信が受信される。そしてリーダ１５により、タグ１４に関するタグ情報が取得される。リーダ制御部１９により、リーダ１５で取得されたタグ情報が通信制御部２０に出力される。通信制御部２０は、通信部２１を介して、複数の画像表示装置１０全体を管理する統合制御装置５０に、タグ情報を送信する。このように各画像表示装置１０の通信部２１を介して、各リーダ１５で取得されたタグ情報が統合制御装置５０に送信される。
【００４７】
統合制御装置５０は、全ての画像表示装置１０から取得したタグ情報を統合することで、２次元状に配置された複数の表示装置１０の全体の形状、各画像表示装置１０の位置を算出する。各画像表示装置１０の表示画面１１に画像を表示させる際には、統合制御装置５０は、各画像表示装置１０の位置や向きを踏まえて、各画像表示装置１０に描画の指示を送信する。
【００４８】
統合制御装置５０としては、例えばＰＣ（Personal Computer）等の種々のコンピュータが用いられる。図３は、統合制御装置５０のハードウェア構成例を示す模式的なブロック図である。統合制御装置５０は、本実施形態に係る画像表示システム１００内にて、複数の単位装置の動作の少なくとも一部を制御可能な制御装置として機能する。また統合制御装置５０は、本技術に係る情報処理装置としても機能する。複数の画像表示装置１０の各々も、本技術に係る情報処理装置に相当し、図３に示すハードウェア構成と略等しい構成が備えられてもよい。
【００４９】
統合制御装置５０は、ＣＰＵ５１、ＲＯＭ５２、ＲＡＭ５３、入出力インタフェース５５、及び、これらを互いに接続するバス５４を備える。入出力インタフェース５５には、表示部５６、入力部５７、記憶部５８、通信部５９、ドライブ部６０等が接続される。
【００５０】
表示部５６は、例えば液晶、ＥＬ（Electro-Luminescence）、ＣＲＴ（Cathode Ray Tube）等を用いた表示デバイスである。入力部５７は、例えばコントローラ、ポインティングデバイス、キーボード、タッチパネル、その他の操作装置である。入力部５７がタッチパネルを含む場合、そのタッチパネルは表示部５６と一体となり得る。
【００５１】
記憶部５８は、不揮発性の記憶デバイスであり、例えばＨＤＤ（Hard Disk Drive）、フラッシュメモリ、その他の固体メモリである。ドライブ部６０は、例えば光学記録媒体、フロッピー（登録商標）ディスク、磁気記録テープ、フラッシュメモリ等、リムーバブルの記録媒体６１を駆動することが可能なデバイスである。これに対し上記記憶部５８は、主にリムーバブルでない記録媒体を駆動する、統合制御装置５０に予め搭載されたデバイスとして使用される場合が多い。
【００５２】
通信部５９は、ＬＡＮ、ＷＡＮ等に接続可能な、他のデバイスと通信するためのモデム、ルータ、その他の通信機器である。通信部５９は、有線及び無線のどちらを利用して通信するものであってもよい。通信部５９は、統合制御装置５０とは別体で使用される場合が多い。本実施形態では、通信部５９が、複数の画像表示装置１０の各々が有するリーダ１５が無線通信によりタグ１４から受信したタグ情報（データ）を受信するデータ受信部として機能する。
【００５３】
上記のようなハードウェア構成を有する統合制御装置５０による情報処理は、記憶部５８またはＲＯＭ５２等に記憶されたソフトウェアと、統合制御装置５０のハードウェア資源との協働により実現される。具体的には、ＣＰＵ５１が記憶部５８またはＲＯＭ５２等に記憶された、ソフトウェアを構成するプログラムをＲＡＭ５３にロードして実行することにより実現される。
【００５４】
プログラムは、例えば記録媒体を介して統合制御装置タ５０にインストールされる。あるいは、グローバルネットワーク等を介してプログラムが統合制御装置５０にインストールされてもよい。また統合制御装置５０が実行するプログラムは、順序に沿って時系列に処理が行われるプログラムであっても良いし、並列に、あるいは呼び出しが行われたとき等の必要なタイミングで処理が行われるプログラムであっても良い。
【００５５】
図４は、統合制御装置５０の機能的な構成例を示す模式的なブロック図である。図３に示すＣＰＵ５１が所定のプログラムを実行することで、ソフトウェアブロックである近傍隣接部判定部６２、配置状態算出部６３、及び誤配置検知部６４が実現される。
【００５６】
隣接判定部６２（以下、単に判定部６２と記載する）は、各リーダ１５から受信したタグ情報をもとに、隣接部同士の位置関係を判定する。すなわち判定部６２は、リーダ１５が設置された角部１６の近傍となるタグ１４が設置された近傍角部１８を有する他の画像表示装置１０を判定可能である。また判定部６２は、他の画像表示装置１０の角部１６の中におけるタグ１４が設置された近傍隣接部１８の位置を判定可能である。
【００５７】
図１に示す画像表示装置１０Ａの右下の角部１６ａを参照して判定部６２の処理について説明する。画像表示装置１０Ａの角部１６ａに設置されたリーダ１５が受信したタグ情報が取得される。判定部６２は、このタグ情報をもとに、角部１６ａの近傍となる近傍角部１８を有する他の画像表示装置１０Ｂ−Ｄをそれぞれ判定する。また各近傍角部１８が、それを有する他の画像表示装置１０Ｂ−Ｄのどの位置にあたる角部１６かを判定する。すなわち近傍隣接部１８は、画像表示装置１０Ｂの左下の角部１６ｃであり、画像表示装置１０Ｃの右上の角部１６ｂであり、また画像表示装置１０Ｄの左上の角部１６ｄであることが判定される。
【００５８】
配置状態算出部６３（以下、単に算出部６３と記載する）は、各リーダ１５から受信したタグ情報をもとに、複数の画像表示装置１０の配置状態を算出可能である。具体的には、判定部６２による近傍隣接部１８を有する他の画像表示装置１０の判定結果と、近傍隣接部１８の位置の判定結果とをもとに、複数の画像表示装置１０の配置状態を算出可能である。
【００５９】
誤配置検知部６４（以下、単に検知部６４と記載する）は、判定部６２による判定結果をもとに、複数の画像表示装置１０のうち上下の向きが誤って配置された画像表示装置１０を検知することが可能である。本実施形態に係る画像表示装置１０の表示部２５は、使用される向きとして上下の向きが定まっている。そして２次元状の配置の際には、上下の向きが他の画像表示装置１０の表示部２５と揃えられて配置される。例えば図１に示す例では、ｙ方向が上下方向となり、上下の向きがｙ軸の正の向きとなるように、複数の画像表示装置１０がそれぞれ配置される。このさいに上下の向きが誤って配置されてしまった画像表示装置１０が、検知部６４により検知される。
【００６０】
［画像表示システムの動作］
本実施形態に係る画像表示システム１００の動作として、主に統合制御装置５０による配置状態の算出処理を説明する。図５は、その説明のための図である。図５の例では、ＩＤが（Ａ、Ｂ、Ｃ、Ｄ）の４つの画像表示装置１０Ａ−１０Ｄが配置される。
【００６１】
各画像表示装置１０の４つの角部１６の全てには、タグ１４及びリーダ１５がそれぞれ設定される。各タグ１４からは、タグ情報として、画像表示装置１０の各ＩＤと、タグ１４が設置されている位置（右下、右上、左下、左上）の情報が送信される。以下タグ情報を（ＩＤ、タグ位置）の組で表現する。例えば画像表示装置１０Ａの右下の角部１６ａに設置されたタグ１４から送信されるタグ情報は（Ａ、右下）となる。画像表示装置１０Ｃの左上の角部１６ｄに設置されたタグ１４から送信されるタグ情報は（Ｃ、左上）となる。
【００６２】
４つの画像表示装置１０のうち、所定の画像表示装置の所定の角部にあるリーダ１５により取得されたタグ情報が参照される。図５に示す例では、画像表示装置１０Ａの右下の角部１６ａに設置されたリーダ１５により取得されたタグ情報が参照される。このリーダ１５には、（Ｂ、左下）、（Ｃ、右上）、（Ｄ、左上）のタグ情報が受信される。これらのタグ情報により、判定部６２により角部１６同士の位置関係が判定され、算出部６３により以下に示すように配置状態が算出される。
【００６３】
（Ｂ、左下）のタグ情報→画像表示装置１０Ａの右に画像表示装置１０Ｂが配置。
（Ｃ、右上）のタグ情報→画像表示装置１０Ａの下に画像表示装置１０Ｃが配置。
（Ｄ、左上）のタグ情報→画像表示装置１０Ａの右下に画像表示装置１０Ｄが配置。
横２×縦２の配置状態（図５Ｂの配置状態）であり、全体形状は矩形状。
【００６４】
所定の画像表示装置としては、任意の画像表示装置が選択されてよい。予め画像表示装置が定められてもよい。あるいは、例えは２次元状での配置の際に最初に統合制御装置５０に接続された画像表示装置１０が、所定の画像表示装置として選択されてもよい。またタグ情報が参照される所定の角部１６も右下の角部１６ａに限定されず、任意の位置にある角部１６が選択されてよい。
【００６５】
所定の角部に設置されたリーダ１５によりタグ情報が取得されていない場合（例えば画像表示装置１０Ａの左上の角部１６ｄのリーダ１５等）や、取得されたタグ情報のみでは配置状態が確定しない場合（例えば画像表示装置１０Ａの左下の角部１６ｃのリーダ１５等）、他の角部１６のリーダ１５により取得されたタグ情報が参照される。この際、他の角部１６の選択方法が定められてもよい。例えは、右周り方向で隣接する角部１６が選択される等の任意方法が採用されてよい。
【００６６】
なお判定部６２により、全てのリーダ１５から取得したタグ情報をもとに、角部１６同士の全体的な位置関係が判定され、その判定結果の一部の情報を用いて算出部６３により配置状態が算出されてもよい。一方でタグ情報が参照される際に、判定部６２による判定及び算出部６３による算出が実行されてもよい。図４に示す判定部６２及び算出部６３が１つのブロックにて構成されてもよい。
【００６７】
図６は、全体形状が矩形状ではない配置例を示す模式的な図である。図６Ａでは、画像表示装置１０Ｂの右に、ＩＤがＥの画像表示装置１０Ｅが配置されている。このような配置においても、例えは画像表示装置１０Ｂの右下及び右上のリーダ１５により受信されたタグ情報により、複数の画像表示装置１０の配置状態を算出することが可能である。もちろん画像表示装置１０Ｅの左下及び左上のリーダ１５により受信されたタグ情報が用いられて配置状態が算出されてもよい。
【００６８】
図６Ｂでは、画像表示装置１０Ｂの右上に画像表示装置１０Ｅが配置されている。このような頂点同士のみが隣接し、辺部同士は隣接しない配置も考えらえる。この場合でも、画像表示装置１０Ｂの右上のリーダ１５により受信されたタグ情報、あるいは画像表示装置１０Ｅの左下のリーダ１５により受信されたタグ情報が参照されることで配置状態を算出することが可能である。
【００６９】
以上、本実施形態に係る画像表示システム１００では、複数の画像表示装置１０の各角部１６に近距離無線通信が可能なタグ１４及びリーダ１５が設置される。これにより他の画像表示装置１０の角部１６に設置されたタグ１４から近距離無線通信によりデータを受信することが可能となる。この結果、各リーダ１５が受信したデータをもとに複数の画像表示装置１０の配置状態を管理することが可能となる。
【００７０】
本実施形態では、タグ１４及びリーダ１５は、近傍角部１８までを含む範囲において近距離無線通信が可能である。リーダ１５は、リーダ１５が設置された角部１６の近傍となる近傍角部１８に設置されたタグ１４からのタグ情報を受信する。各リーダ１５にて受信されたタグ情報は、統合制御装置５０に送信される。
【００７１】
統合制御装置５０では、各リーダ１５が受信したタグ情報が集約され、近傍角部１８がどの画像表示装置１０のものなのかが判定される。またそのタグ１４が設置された近傍角部１８が他の画像表示装置１０のどの位置にあたる角部１６かが判定される。これにより２次元状に配置される複数の画像表示装置１０の配置状態を算出して管理することが可能な有用なシステムが実現する。
【００７２】
近年、画像を表示するディスプレイ装置のサイズが大型化している。しかしながら生産コスト、需要、搬入の困難さなどの点から、今後の劇的な大型化は難しいと考えられる。一方、ディスプレイのベゼル（枠）の幅は狭くなっており、複数のディスプレイを並べて１つの大画面ディスプレイを構築する画像表示システムが実現しやすい環境が整いつつある。このような画像表示システムは、グリッド型ディスプレイとも呼ばれ、個々のディスプレイもグリッドと呼ばれることがある。
【００７３】
ディスプレイの数が少なければ、あらかじめ決められた位置関係でディスプレイを設置することはそれほど大変ではない。もしくは、ディスプレイ設置後に各ディスプレイや中央制御部等に対して、オペレータが個別にディスプレイの位置関係に合わせて設定を実行するといったことも比較的簡単に行える。しかしながら、２次元状に配置されるディスプレイの数が増えるにつれて、オペレータにかかる負担が大きくなる。
【００７４】
例えば上記した特許文献１に記載の技術では、機械式スイッチやコネクタ等を接続部として、単位モニタが互いに接続されることが前提とされている。すなわちそのような接続部を単位モニタの側面に露出させておく必要があり、接続部の劣化の可能性があるだけではなく、商品のデザイン等の制約となる可能性が高い。また各単位モニタは上下左右にそれぞれ配置された８箇所の信号送信部及び信号受信部を管理する必要があった。また接続部、信号送信部、及び信号受信部の構造も複雑であった。
【００７５】
単位モニタの側面に指向性をもつ発光部及び受光部を設け、受光のタイミングにより各単位モニタの配置情報を把握する技術も考えられる。しかしながらこのような技術においても、特許文献１の技術と同様に、発光部及び受光部を単位モニタの側面に露出させておく必要があり、劣化やデザイン性の低下の問題がある。また発光部及び受光部を計８箇所管理する必要があり、またこれらの構造も複雑となる。
【００７６】
これに対して本実施形態に係る画像表示システム１００では、各画像表示装置１０のフレーム１２の４つの角部１６に、近距離無線通信用のタグ１４及びリーダ１５がそれぞれ設置される。そしてリーダ１５で得られたタグ情報を集約することで、大画面ディスプレイ全体の形状や各画像表示装置１０の位置が算出される。
【００７７】
ＲＦＩＤの非接触による近距離無線通信が行われるので、画像表示装置１０同士をコネクタ等の接続部により接続させる必要がない。また通信の指向性が低いので、タグ１４及びリーダ１５を画像表示装置１０の側面に設置する必要もない。従って画像表示装置１０の側面に接続部や通信のためのデバイスを露出させて設置する必要がないので、上記した劣化による問題の発生を防止することができる。また商品のデザインの自由度を向上させることができる。
【００７８】
また本実施形態では、タグ１４はリーダ１５に反応して通信を行うため、送信側の画像表示装置１０は自身のタグ１４に電源を供給したり制御を行ったりする必要がない。従って画像表示装置１０の負担が軽減され、例えは４箇所のリーダ１５を管理するだけで、本画像表示システム１００を適正に動作させることが可能となる。また管理にかかるコストも低減させることができる。
【００７９】
またＲＦＩＤタグ及びリーダは、比較的構成が単純であり、また部品コストも低い。その結果、画像表示装置１０の構成が複雑になることを避けることができ、またコストも抑えることが可能である。
【００８０】
図７は、上下の向きを誤って画像表示装置１０が配置された状態を示す図である。図７に示す例では、画像表示装置１０Ｄの上下の向きが誤って配置されている。この場合、画像表示装置１０Ａの右下の角部１６ａに設置されたリーダ１５により、（Ｂ、左下）、（Ｃ、右上）、（Ｄ、右下）のタグ情報が受信される。
【００８１】
本実施形態では、複数の画像表示装置１０が２次元状に配置される際には、上下の向きが揃えられて配置される。従って、画像表示装置１０Ａの右下の角部１６ａに設置されたリーダ１５に（Ｄ、右下）のタグ情報が受信されることはあり得ない。検知部６４は、このようなタグ情報の受信をエラーとして検知する。また検知部６４は、エラー発生のもととなるタグ情報をもとに上下の向きが誤って配置された画像表示装置１０Ｄを検知する。
【００８２】
検知されたエラーの内容は、例えば図３に示す統合制御装置５０の表示部５６等にアラーム表示される。あるいは音声等によりオペレータに上下の向きの誤りが通知されてもよい。これにより誤った配置や不正な配置等を迅速に発見することが可能となり、適正な画像表示が妨げられてしまうことを防止することが可能となる。
【００８３】
＜第２の実施形態＞
本技術に係る第２の実施形態の画像表示システムについて説明する。これ以降の説明では、上記の実施形態で説明した画像表示システム１００における構成及び作用と同様な部分については、その説明を省略又は簡略化する。
【００８４】
図８は、本実施形態に係る画像表示装置２１０を示す模式的な図である。第１の実施形態と比べて、本実施形態では、画像表示装置２１０に設置されるリーダ２１５の数が異なる。図８Ａに示すように、複数の隣接部となる４つの角部２１６にタグ２１４がそれぞれ設置される。そして４つの角部２１６の所定の第１の角部に、リーダ２１５が配置される。すなわち本実施形態では、各画像表示装置２１０にリーダ２１５が１つしか設置されない。
【００８５】
所定の第１の角部とは、４つの角部２１６のうち位置が定まっている角部である。すなわち右下、右上、左下、左上のいずれかの角部２１６が、第１の角部として設定され、各画像表示装置２１０において、その設定された位置の第１の角部にリーダ２１５が設置される。図８Ａ及びＢに示すように、本実施形態では、右下の角部２１６ａが第１の角部として設定され、ここにリーダ２１５が設置される。
【００８６】
本実施形態では、画像表示装置２１０Ａの右下の角部２１６ａに設置されたリーダ２１５により取得されたタグ情報が参照される。上記の実施形態と同様に、このリーダ２１５により取得された（Ｂ、左下）、（Ｃ、右上）、（Ｄ、左上）のタグ情報をもとに、以下に示す配置状態が算出される。
【００８７】
（Ｂ、左下）のタグ情報→画像表示装置２１０Ａの右に画像表示装置２１０Ｂが配置。
（Ｃ、右上）のタグ情報→画像表示装置２１０Ａの下に画像表示装置２１０Ｃが配置。
（Ｄ、左上）のタグ情報→画像表示装置２１０Ａの右下に画像表示装置２１０Ｄが配置。
横２×縦２の配置状態（図８Ｂの配置状態）であり、全体形状は矩形状。
【００８８】
このように各画像表示装置２１０が上下の向きを揃えられて配置され、さらに各画像表示装置２１０においてリーダ２１５が設置される角部２１６が統一されていれば（第１の角部に統一されていれば）、設置されるリーダ２１５の数は１つでもよい。
【００８９】
リーダ２１５により、近傍隣接部に設置されたタグ２１４を、最小で０（画像表示装置１０Ｄのリーダ２１５）、最大で３つ（画像表示装置１０Ａのリーダ２１５）検知することが可能である。そして検知したタグ２１４からのタグ情報から、隣接する画像表示装置２１０の位置関係を把握することができる。全画像表示装置２１０のリーダ２１５で取得されたタグ情報が集約されることで、大画面ディスプレイ全体の形状や、各画像表示装置２１０の位置を算出することが可能となる。リーダ２１５の数を少なくさせることで、部品コストや管理にかかるコストを抑えることが可能となる。
【００９０】
図９−図１１は、リーダ２１５の数を１つとした他の配置例について説明するための図である。例えば画像表示装置２１０のそれぞれの向きが揃えられて配置される場合、所定の第１の角部として設定される角部２１６は、右下の角部２１６ａに限定されない。図９Ａに示すように、右上の角部２１６ｂが第１の角部として設定され、そこにリーダ２１５が設置されてもよい。例えば画像表示装置２１０Ｃの右上の角部２１６ａに設置されたリーダ２１５が取得したタグ情報をもとに配置状態は算出可能である。その他の角部２１６が第１の角部として設定されてもよい。
【００９１】
図９Ｂに示すように、２次元状に配置された複数の画像表示装置２１０の全体形状が矩形状でなくてもよい。例えば右下の角部２１６ａにリーダ２１５が設置され、上下の向きが揃えられて配置される場合、図８Ｂに示す画像表示装置２１０Ａ−２１０Ｄのいずれかに隣接するように画像表示装置２１０が配置されてもよい。図９Ｂに示すように、画像表示装置２１０Ｂの右に画像表示装置２１０Ｅが配置される場合、画像表示装置２１０Ｂのリーダ２１５により画像表示装置２１０Ｅのタグ２１４からタグ情報が受信される。このタグ情報をもとに配置状態を算出することが可能である。
【００９２】
図１０Ａ及びＢに示すように、頂点同士のみが隣接し、辺部同士は隣接しない配置も可能である。なおこの場合には、リーダ２１５が設置されている右下の角部２１６ａと隣接するように、他の画像表示装置２１０が配置される必要がある。すなわち各画像表示装置２１０の情報が、いずれかの画像表示装置２１０のリーダ２１５により受信される必要がある。
【００９３】
図１０Ａに示す例では、画像表示装置２１０Ｄの右下に画像表示装置２１０Ｅが配置される。この場合、画像表示装置２１０Ｄのリーダ２１５により、画像表示装置２１０Ｅのタグ２１４からタグ情報が受信される。このタグ情報をもとに配置状態が算出可能である。一方、図１０Ｂに示す例では、画像表示装置２１０Ｂの右上に画像表示装置２１０Ｅが配置されている。この場合、リーダ２１５が設置されていない角部２１６ｂに画像表示装置２１０Ｅが隣接することになる。従って画像表示装置２１０Ｅのタグ２１４からのタグ情報を受信可能なリーダ２１５が存在しない。従って図１０Ｂに示す配置がされた場合には、配置状態は算出できないことになる。
【００９４】
また図１１に示すように、頂点同士が隣接する配置とは異なる配置が実行された場合には、正確な配置状態は算出できない。例えば図１１に示すように、画像表示装置２１０Ｂ及び２１０Ｄの右側で、２つの画像表示装置２１０の境界部が略中央に位置するように、画像表示装置２１０Ｅが配置されたとする。この場合、画像表示装置２１０Ｅのタグ２１４からのタグ情報が、画像表示装置２１０Ｂのリーダ２１５及び画像表示装置２１０Ｄのリーダ２１５により受信されない。あるいは、いずれかのリーダ２１５にて、画像表示装置２１０Ｅに関するタグ情報が受信されたとする。この場合でも、画像表示装置２１０Ｂ又は２１０Ｄの右側に画像表示装置２１０Ｅが配置されている旨の算出がなされるのみであって、正確な配置状態は算出されない。
【００９５】
図１０Ｂや図１１の例等を考慮しながら、すなわち全体形状や配置の仕方、向き等のもろもろの条件等を考慮しながら、画像表示装置２１０に設置されるリーダ２１５の数や、リーダ２１５が設置される角部２１６の位置等が適宜設定されればよい。なお図１０Ｂに示す例のように、統合制御装置５０に接続された画像表示装置２１０のうち、タグ情報が取得されない画像表示装置２１０（図１０Ｂでは画像表示装置２１０Ｅ）が存在する場合、エラーが発生したとしてアラーム表示等が実行されてもよい。
【００９６】
図１２は、上下の向きを誤って画像表示装置２１０が配置された状態を示す図である。例えば図１２Ａに示すように、画像表示装置２１０Ａの下に、上下の向きが誤った状態で画像表示装置２１０Ｂが配置されたとする。ここでは、各画像表示装置２１０は上下の向きが揃えられて配置されることを前提とし、また第１の角部である右下の角部２１６ａにリーダ２１５が設置されているとする。
【００９７】
画像表示装置Ａの右下の角部２１６ａにあるリーダ２１５は、（Ｂ、左下）のタグ情報を受信する。この情報をもとに、図１２Ｂに示すように、画像表示装置２１０Ａの右に画像表示装置２１０Ｂが配置されていると算出される。すなわち画像表示装置２１０Ａの下及び右下には、画像表示装置２１０Ｂは配置されていないと算出される。一方で、画像表示装置２１０Ｂの右下の角部２１６にあるリーダ２１５は、（Ａ、左下）のタグ情報を受信する。従って、画像表示装置２１０Ｂの右に画像表示装置２１０Ａが配置されており、下及び右下には画像表示装置２１０Ａは配置されていないと算出される。
【００９８】
すなわち両方のタグ情報をもとにした配置状態同士で矛盾が発生することになる。統合制御装置５０の検知部６４により、このような矛盾の発生がエラーとして検知される。そしてエラーの発生のもととなるタグ情報をもとに上下の向きが誤って配置された画像表示装置２１０Ｂが検知される。検知されたエラーの内容は、アラーム表示や音声等によりオペレータに通知される。これにより誤った配置や不正な配置等を迅速に発見することが可能となる。なお画像表示装置２１０Ａ及び２１０Ｂのいずれかの向きが誤りである旨のエラーが通知されてもよい。
【００９９】
＜第３の実施形態＞
本技術に係る第３の実施形態の画像表示システムについて説明する。図１３は、本実施形態に係る配置状態の一例を示す模式的な図である。本実施形態に係る画像表示装置３１０の表示部は、長手方向と短手方向を有する長方形状からなる。また画像表示装置３１０の表示部は、短手方向を上下方向として、上下の向きがいずれの向きでも使用可能である。すなわち上下の向きが反対であっても、適正に画像を表示することが可能である。
【０１００】
画像表示装置３１０は、上下方向において通常使用される向きと、その反対側の向きとを有する。便宜上、通常使用される向きを正向きと記載し、その反対側の向きを逆向きと記載する。図１３に示す例では、正向きに配置された画像表示装置３１０Ａの左に、正向きの画像表示装置３１０Ｂが配置されている。画像表示装置３１０Ａの上には、逆向きの画像表示装置３１０Ｃが配置される。画像表示装置３１０Ｂの上、すなわち画像表示装置３１０Ｃの左には、逆向きの画像表示装置３１０Ｄが配置される。
【０１０１】
各画像表示装置３１０の４つの角部３１６に、タグ３１４がそれぞれ設置される。４つの角部３１６のうち所定の第１の角部と、第１の角部の対角の位置にある第２の角部にリーダ３１５が設置される。すなわち各画像表示装置３１０には、４つのタグ３１４と、２つのリーダ３１５とが設置される。図１３に示すように本実施形態では、右下の角部３１６ａ及び左上の角部３１６ｄが第１及び第２の角部として設定され、そこにリーダ３１５がそれぞれ設置される。
【０１０２】
本実施形態においても、各画像表示装置３１０の各リーダ３１５が取得したタグ情報を統合することで、複数の画像表示装置３１０の配置状態を算出することが可能である。
【０１０３】
図１４及び図１５は、本実施形態に係る配置状態の算出の流れを示すフローチャートである。以下、画像表示装置３１０のことをグリッド３１０と記載して説明する。本実施形態では、配置された複数のグリッド３１０に対応するように、以下の情報が記憶される。
（ｉｎｆｏ［０］．ｘ，ｙ，ｄｉｒｅｃｔｉｏｎ）
（ｉｎｆｏ［１］．ｘ，ｙ，ｄｉｒｅｃｔｉｏｎ）
（ｉｎｆｏ［２］．ｘ，ｙ，ｄｉｒｅｃｔｉｏｎ）
・
・
・
（ｉｎｆｏ［ｎ（ｎ＝グリッド−１）］．ｘ，ｙ，ｄｉｒｅｃｔｉｏｎ）
１つのグリッド３１０に対して、１つの（ｉｎｆｏ［］．ｘ，ｙ，ｄｉｒｅｃｔｉｏｎ）が記憶される。
【０１０４】
（ｉｎｆｏ［］）内のナンバーは、各グリッド３１０に割り当てられるナンバーである。本実施形態では、基準となるグリッド３１０にナンバー０が割り当てられ、その他のグリッド３１０に、１からｎまでのナンバーが割り当てられる。ナンバーを割り当てる方法は限定されない。例えば最初に統合制御装置５０に接続されたグリッド３１０が、ナンバー０のグリッド３１０として選択される。その後接続された順で、順序ナンバーが割り当てられる。このような方法が用いられてもよいし、他の任意の方法が用いられてもよい。
【０１０５】
以下ナンバーが割り当てられたグリッドを、グリッド（ナンバー）と記載する場合がある。例えばナンバー０が割り当てられたグリッド３１０はグリッド０である。
【０１０６】
（ｉｎｆｏ［］．ｘ，ｙ）は、ナンバー０のグリッド３１０からの相対的な位置を表す。本実施形態では、図１３に示すように、２次元状のグリッド３１０の位置を表すための座標系が設定される。起点となるグリッド０の座標を（０、０）として、座標軸の正の向きに隣接する場合は座標値は１大きい値となる。負の向きに隣接する場合は、座標値は１小さい値となる。すなわちグリッド０に関しては（ｉｎｆｏ［０］．０，０）となり、このグリッド０の右に配置されるグリッド３１０に関しては（ｉｎｆｏ［］．１，０）となる。またグリッド０の左下に配置されるグリッド  に関しては（ｉｎｆｏ［］．−１，１）となる。
【０１０７】
（ｉｎｆｏ［］．ｄｉｒｅｃｔｉｏｎ）は、グリッド３１０の上下の向きを表す。すなわちグリッド３１０が正向きで配置されているか、逆向きで配置されているかを表す情報である。これもナンバー０のグリッド３１０を基準として、当該グリッド０と同じ向きである場合に（ｉｎｆｏ［］．ｔｒｕｅ）となる。一方、グリッド０と反対の向きである場合に（ｉｎｆｏ［］．ｆａｌｓｅ）となる。
【０１０８】
グリッド３１０の上下の向きは、適正に画像を表示させるための向きである。一方で、２次元状に配置された複数のグリッド３１０が、全体としてどの向きで使用されるかは状況によって異なってくる。例えば図１６Ａに示すように、図１３に示す位置関係と同じのまま、全体的に１８０度回転した方向で、複数のグリッド３１０が使用される場合も考えられる。また図１６Ｂに示すように、同じ位置関係にて、横向きに複数のグリッド３１０が使用される場合もある。このように全体の向きが適宜設定されて使用されることもある。
【０１０９】
図１６Ａに示す例では、全体の向きが下向きとなり、下向きが正向きとなるように各グリッド３１０が設置される。図１６Ｂに示す例では、全体の向きが横向きとなり、横向きが正向きとなるように各グリッド３１０が設置される。上記の（ｉｎｆｏ［］．ｄｉｒｅｃｔｉｏｎ）は、全体の向きを考慮しない、複数のグリッド３１０内での各グリッド３１０の向きを表す情報である。
【０１１０】
従って本実施形態による配置状態の算出では、各グリッド３１０の位置関係は一意に特定できるが、全体の向きは判定できない。これについては、向きを検知できるセンサを使用するか、オペレータに目視させた上で設定させるなどの対応方法が考えられる。後者の対応方法は、オペレータに手間をかけるが、システム全体で一回設定するだけなので、元々、問題となっていた各グリッドの位置の設定に比べれば、負担は十分に小さい。
【０１１１】
各グリッド３１０に対応した（ｉｎｆｏ［］．ｘ，ｙ，ｄｉｒｅｃｔｉｏｎ）が全て算出されると、配置状態の算出が完了する。以下詳しく説明する。
【０１１２】
図１４に示すフローチャートを参照して、まず各グリッド３１０に対応した（ｉｎｆｏ［］．ｘ，ｙ，ｄｉｒｅｃｔｉｏｎ）が初期化される（ステップ１０１）。
【０１１３】
ｇｒｉｄ_ｌｉｓｔに、起点となるグリッド０以外のグリッド１−ｎが設定される（ステップ１０２）。ｇｒｉｄ_ｌｉｓｔは、位置及び向きが明らかになっていないグリッド３１０が設定されるリストである。このｇｒｉｄ_ｌｉｓｔに設定されるグリッド３１０がなくなれば、配置状態の算出が完了したことになる。
【０１１４】
グリッド０の情報が、（ｉｎｆｏ［］．０，０，ｔｒｕｅ）に設定される（ステップ１０３）。サブルーチンｃｈｅｃｋ_ｇｒｉｄ（ｃｕｒ）が読み出され、グリッド０を起点としたサブルーチンｃｈｅｃｋ_ｇｒｉｄ（０）が実行される（ステップ１０４）。
【０１１５】
図１５は、ｃｈｅｃｋ_ｇｒｉｄ（ｃｕｒ）の流れを示すフローチャートである。ステップ２０１ａ及び２０１ｂに示すように、上、下、左、右、左上、右下のポジションで、ループ処理が実行される。上、下、左、右、左上、右下のポジションとは、その方向で隣接するポジションである。従って引数で渡されたグリッド（グリッドｃｕｒ）に隣接するグリッド３１０が順に調べられる。ここではグリッド０に隣接するグリッド３１０が調べられることになる。
【０１１６】
グリッドｃｕｒのｐｏｓ方向（上記したポジションの方向）に、新しいグリッド３１０であるグリッドｎｅｗが存在するか否かは判定される。かつ、そのグリッドｎｅｗがｇｒｉｄ_ｌｉｓｔに存在するか否かが判定される（ステップ２０２）。ここでは、まずグリッド０の上に隣接するグリッド３１０が存在するか否かが判定され、かつ、そのグリッド３１０がｇｒｉｄ_ｌｉｓｔに存在するか否かが判定される。なお、ｐｏｓ方向にグリッドｎｅｗが存在するか否かは、統合制御装置５０に集められたタグ情報をもとに判断される。
【０１１７】
グリッドｎｅｗが存在しない場合や、既に調査済みでｇｒｉｄ_ｌｉｓｔにグリッドｎｅｗが存在しない場合は（ステップ２０２のＮｏ）、ステップ２０１ｂに進み、次のポジションが調べられる。
【０１１８】
グリッドｎｅｗが存在する場合は（ステップ２０２のＹｅｓ）、グリッドｃｕｒの位置と、グリッドｎｅｗが存在するポジションとをともとに、グリッドｎｅｗの位置が設定される。すなわちステップ２０３を介して、図１３に示す座標系に基づいて、（ｉｎｆｏ［ｎｅｗ］．ｘ，ｙ）が以下のようにして設定される。
【０１１９】
ｐｏｓ＝上の場合（ステップ２０４）、
ｉｎｆｏ［ｎｅｗ］．ｘ＝ｉｎｆｏ［ｃｕｒ］．ｘ
ｉｎｆｏ［ｎｅｗ］．ｙ＝ｉｎｆｏ［ｃｕｒ］．ｙ−１
ｐｏｓ＝下の場合（ステップ２０５）、
ｉｎｆｏ［ｎｅｗ］．ｘ＝ｉｎｆｏ［ｃｕｒ］．ｘ
ｉｎｆｏ［ｎｅｗ］．ｙ＝ｉｎｆｏ［ｃｕｒ］．ｙ＋１
ｐｏｓ＝左の場合（ステップ２０６）、
ｉｎｆｏ［ｎｅｗ］．ｘ＝ｉｎｆｏ［ｃｕｒ］．ｘ−１
ｉｎｆｏ［ｎｅｗ］．ｙ＝ｉｎｆｏ［ｃｕｒ］．ｙ
ｐｏｓ＝右の場合（ステップ２０７）、
ｉｎｆｏ［ｎｅｗ］．ｘ＝ｉｎｆｏ［ｃｕｒ］．ｘ＋１
ｉｎｆｏ［ｎｅｗ］．ｙ＝ｉｎｆｏ［ｃｕｒ］．ｙ
ｐｏｓ＝左下の場合（ステップ２０８）、
ｉｎｆｏ［ｎｅｗ］．ｘ＝ｉｎｆｏ［ｃｕｒ］．ｘ−１
ｉｎｆｏ［ｎｅｗ］．ｙ＝ｉｎｆｏ［ｃｕｒ］．ｙ−１
ｐｏｓ＝右下の場合（ステップ２０９）、
ｉｎｆｏ［ｎｅｗ］．ｘ＝ｉｎｆｏ［ｃｕｒ］．ｘ＋１
ｉｎｆｏ［ｎｅｗ］．ｙ＝ｉｎｆｏ［ｃｕｒ］．ｙ＋１
【０１２０】
例えばグリッド０の上にグリッドｎｅｗとしてグリッド１が存在したとする。そうするとグリッド１の位置情報は（ｉｎｆｏ［１］．０，−１）となる。例えばグリッド０の右下にグリッド１が存在した場合は、位置情報は（ｉｎｆｏ［１］．１，１）となる。このようにして隣接するグリッドの位置情報が算出される。
【０１２１】
グリッド０の向きを基準として、グリッドｎｅｗの向きが判定され、（ｉｎｆｏ［ｎｅｗ］．ｄｉｒｅｃｔｉｏｎ）にｔｒｕｅもしくはｆａｌｓｅが設定される（ステップ２１０）。グリッドｎｅｗの位置及び向きが明らかになったので、ｇｒｉｄ_ｌｉｓｔからグリッドｎｅｗが除かれる（ステップ２１１）。
【０１２２】
サブルーチンｃｈｅｃｋ_ｇｒｉｄ（ｃｕｒ）が再帰的に読み出され、グリッドｎｅｗを起点としたサブルーチンｃｈｅｃｋ_ｇｒｉｄ（ｎｅｗ_ｇｒｉｄ）が実行される（ステップ２１２）。すなわちグリッドｎｅｗが調べられる。再帰的に読み出されたサブルーチンｃｈｅｃｋ_ｇｒｉｄ（ｎｅｗ_ｇｒｉｄ）が終了すると、次のポジションでのグリッドの存在が調べられる。全てのポジションにてグリッドが調べられ、全ての（ｉｎｆｏ［］．ｘ，ｙ，ｄｉｒｅｃｔｉｏｎ）が算出されると、配置状態の算出が完了する。
【０１２３】
ここで統合制御装置５０に集められたタグ情報をもとにした、隣接しているグリッド、及びその向きの判定方法の一例を説明する。図１７及び図１８は、その説明のための模式的な図である。
【０１２４】
ＰＯＳ＝左上のグリッドの確認方法。
図１７Ａ及びＢに示す配置では、グリッド３１０Ａの左上のリーダ３１５は、グリッド３１０Ｄの右下のタグ３１４、もしくはグリッド３１０Ｄの左上のタグ３１４からタグ情報を読み取る。図１７Ａ及びＢに示す配置では、グリッド３１０Ａの上や左にグリッド３１０は存在しないが、仮に存在していたとしても、それらのグリッド３１０の右下や左上のタグ３１４からタグ情報を読み取ることは、位置関係的にあり得ない。
【０１２５】
このため、右下、左上のタグ３１４を読めた時点で、グリッド３１０Ａの左上にグリッドが存在することが分かる。このとき、図１７Ａのようにグリッド３１０Ｄの右下のタグ３１４が読まれた場合、グリッド３１０Ｄの向きは正方向（ｄｉｒｅｃｔｉｏｎ＝ｔｒｕｅ）となる。図１７Ｂのようにグリッド３１０Ｄの左上のタグ３１４が読まれた場合、グリッド３１０Ｄの向きは逆方向（ｄｉｒｅｃｔｉｏｎ＝ｆａｌｓｅ）となる。ＰＯＳ＝右下のグリッドも同様に確認することができる。
【０１２６】
ＰＯＳ＝左のグリッドの確認方法。
図１８Ａに示す配置では、グリッド３１０Ａの左上のリーダ３１５は、グリッド３１０Ｂの右上のタグ３１４からタグ情報を読み取ることになる。一方、図１８Ｂに示す配置でも、グリッド３１０Ｂの右上のタグ３１４からタグ情報が読み取られる。このため、グリッド３１０Ｂの右上のタグ３１４を読み込んだだけでは、グリッド３１０Ｂが左もしくは上のどちらにあるか判断できない。
【０１２７】
このとき、グリッド３１０Ｂのリーダ３１５がグリッド３１０Ａの左下のタグ３１４を読み込んでいれば、図１０Ａに示す配置であることが分かる。またグリッド３１０Ｂの向きが正方向（ｄｉｒｅｃｔｉｏｎ＝ｔｒｕｅ）であることも判定可能である。グリッド３１０Ｂのリーダ３１５により、グリッド３１０Ａの右上のタグ３１４が読み込まれた場合は、図１０Ｂに示す配置であることが分かる。この場合、グリッド３１０Ｂの向きは逆方向（ｄｉｒｅｃｔｉｏｎｆａｌｓｅ）となる。ＰＯＳ＝上、右、下のグリッドも同様に確認することができる。
【０１２８】
このように本実施系形態では、画像表示装置３１０の向きの制限が緩和された場合でも、タグ３１４からのタグ情報を統合することで、複数の画像表示装置３１０の配置状態を算出することが可能である。
【０１２９】
＜第４の実施形態＞
図１９は、本技術の第４の実施形態に係る配置状態の一例を示す模式的な図である。本実施形態では、各辺部の長さが等しい正方形状の表示部を有する画像表示装置４１０が２次元状に配置される。また画像表示装置４１０は、上下方向及び左右方向のいずれの向きでも使用可能なである。すなわちこの表示部では、上下の向きが反対であっても適正に画像を表示することが可能であり、横向きに倒して使用しても適正に画像を表示することができる。換言すれば４つの辺部のいずれの辺部を下部としても適正に画像を表示することができる。
【０１３０】
図１９に示すように、各画像表示装置４１０の４つの角部４１６に、タグ４１４がそれぞれ設置される。４つの角部４１６のうち所定の３つの角部にリーダ４１５がそれぞれ設置される。すなわち各画像表示装置４１０には、４つのタグ４１４と、３つのリーダ４１５とが設置される。上記した第３の実施形態では２つのリーダが設置されたが、本実施形態では、上下に加え左右の向きの判断が必要となるので、３つのリーダ４１５が配置される。これらのタグ４１４及びリーダ４１５により、例えば第３の実施形態で説明した算出処理を用いることで、図１９に示す配置状態を算出することが可能となる。
【０１３１】
なお本開示中において矩形状とは、４つの角の大きさが等しい四角形のことを意味し、長辺方向及び短辺方向を有する長方形と、全ての辺部が等しい大きさである正方形とを含む概念とする。
【０１３２】
＜第５の実施形態＞
図２０は、本技術の第５の実施形態に係る配置状態の一例を示す模式的な図である。第４の実施形態と同様に、本実施形態に係る画像表示装置５１０は正方形状を有しており、また上下方向及び左右方向のいずれの向きでも使用可能である。
【０１３３】
さらに本実施形態に係る画像表示装置５１０は、２次元状の配置の際の配置の向きを検出可能な図示しないセンサ（検出部）を有している。センサとしては、例えばジャイロセンサ等の角速度センサや加速度センサ等が用いられる。その他、向きを検出可能なセンサとして任意のセンサが用いられてよい。
【０１３４】
図２０に示すように、各画像表示装置５１０の４つの角部５１６に、タグ５１４がそれぞれ設置される。４つの角部５１６のうち所定の第１の角部にリーダ５１５がそれぞれ設置される。本実施形態では、右下の角部５１６ａが第１の角部として設定され、そこにリーダ５１５が設置される。またセンサにより矢印Ｎで表される上下の正向きが上下左右のいずれを向いているかが検出される。
【０１３５】
統合制御装置には、各リーダ５１５が取得したタグ情報が送信される。またセンサにより検出された画像表示装置ごとの向きの情報も送信される。これらの情報を統合することで、全体形状が矩形状となる図２０に示す配置状態が算出される。
【０１３６】
例えば画像表示装置５１０Ａの右下のリーダ５１５には、（Ｂ、右下）、（Ｃ、右下）、（Ｄ、右上）のタグ情報が受信されて、統合制御装置に送信される。また向きの情報を（ＩＤ、向き）とすると、各センサにより、（Ａ、上向き）（Ｂ、右向き）、（Ｃ、左向き）、（Ｄ、左向き）の情報が統合制御装置に送信される。
【０１３７】
統合制御装置において、画像表示装置５１０Ａの右下の角部５１６ａは、実際に右下に位置していることが分かる。また右向きの画像表示装置５１０Ｂの右下の角部５１６ａは、実際には左下に位置することが分かる。従って画像表示装置５１０Ａの右下のリーダ５１５により、画像表示装置５１０Ｂの左下のタグ５１４が読み込まれたことが判定される。この結果、上向きに配置された画像表示装置５１０Ａの右に、左向きに配置された画像表示装置５１０Ｂが隣接していることが算出される。他の画像表示装置５１０Ｃ及び５１０Ｄについても、同様に配置状態を算出することが可能である。
【０１３８】
以上本実施形態では、画像表示装置５１０に配置の向きを検出可能なセンサが設けられる。これにより少ないリーダの数でも、上下左右の向きを気にすることなく、配置状態を算出することが可能となる。また配置された複数の画像表示装置５１０の全体の向きを容易に把握することも可能である。もちろん他の実施形態において、配置の向きを検出可能なセンサが用いられてもよい。例えば第３の実施形態で説明した画像表示装置３１０にセンサが設けられることで、図１６Ａ及びＢ等に示すような全体の向きが異なる配置状態を区別して算出することが可能となる。この結果、オペレータの負担を軽減させることが可能となる。
【０１３９】
＜第６の実施形態＞
図２１は、本技術の第６の実施形態に係る配置状態の一例を示す模式的な図である。本実施形態では、上記の実施形態と比べて、画像表示装置に設置されるタグの数が異なる。図２１に示すように、画像表示装置６１０は長方形状を有し、使用される向きとして上下の向きが定まっている。すなわち２次元状の配置の際には、上下の向きが揃えられて配置される。
【０１４０】
リーダ６１５は、４つの角部６１６のうち所定の第１の角部として設定された右下の角部６１６ａに設置される。タグ６１４は、４つの角部のうち第１の角部である右下の角部６１６を除く、他の３つの角部６１６のうちの２つの角部６１６に設置される。すなわち右上、左下、左上の３つの角部６１６ｂ−６１６ｄのうちの２つにタグ６１４が設置される。図２１Ａに示すように右上及び左下の角部６１６ｂ及び６１６ｃにタグ６１４がそれぞれ設置されてもよいし、図２１Ｂに示すように左下及び左上の角部６１６ｃ及び６１６ｄにタグ６１４がそれぞれ設置されてもよい。あるいは図２１Ｃに示すように右上及び左上の角部６１６ｂ及び６１６ｄにタグ６１４がそれぞれ設置されてもよい。
【０１４１】
例えは図２１Ａに示す例では、画像表示装置６１０Ａの右下のリーダ６１５により、（Ｂ、左下）及び（Ｃ、右上）のタグ情報が取得される。これらのタグ情報から、画像表示装置６１０Ａの右に画像表示装置６１０Ｂがあること、及び画像表示装置６１０Ａの下に画像表示装置６１０Ｃがあることが算出可能である。また画像表示装置６１０Ｂの右下のリーダ６１５により、（Ｄ、右上）のタグ情報が取得される。このタグ情報から、画像表示装置６１０Ｂの下に画像表示装置６１０Ｄがあることが算出可能である。この結果、図２１Ａに示す配置状態を算出することが可能である。
【０１４２】
図２１Ｂに示す例では、画像表示装置６１０Ａの右下のリーダ６１５により、（Ｂ、左下）及び（Ｄ、左上）のタグ情報が取得される。これらのタグ情報から、画像表示装置６１０Ａの右に画像表示装置６１０Ｂがあること、及び画像表示装置６１０Ａの右下に画像表示装置６１０Ｄがあることが算出可能である。また画像表示装置６１０Ｃの右下のリーダ６１５により、（Ｄ、左下）のタグ情報が取得される。このタグ情報から、画像表示装置６１０Ｃの右に画像表示装置６１０Ｄがあること、すなわち画像表示装置６１０Ｄの左に画像表示装置６１０Ｃがあることが算出可能である。この結果、図２１Ｂに示す配置状態を算出することが可能である。
【０１４３】
図２１Ｃに示す例では、画像表示装置６１０Ａの右下のリーダ６１５により、（Ｃ、右上）及び（Ｄ、左上）のタグ情報が取得される。これらのタグ情報から、画像表示装置６１０Ａの下に画像表示装置６１０Ｃがあること、及び画像表示装置６１０Ａの右下に画像表示装置６１０Ｄがあることが算出可能である。また画像表示装置６１０Ｂの右下のリーダ６１５により、（Ｄ、右上）のタグ情報が取得される。このタグ情報から、画像表示装置６１０Ｂの下に画像表示装置６１０Ｄがあること、すなわち画像表示装置６１０Ｄの上に画像表示装置６１０Ｂがあることが算出可能である。この結果、図２１Ｃに示す配置状態を算出することが可能である。
【０１４４】
以上のようにタグ６１４の数が２つであっても、２次元状に配置された複数の画像表示装置６１０の全体の形状、各画像表示装置６１０の位置を算出することが可能である。全体形状や配置の向き等のもろもろの条件等を考慮しながら、画像表示装置６１０に設置されるリーダ６１５の数が適宜設定されればよい
【０１４５】
＜その他の実施形態＞
本技術は、以上説明した実施形態に限定されず、他の種々の実施形態を実現することができる。
【０１４６】
画像表示装置に設置される送信部及び受信部として、ＲＦＩＤタグ及びＲＦＩＤリーダとは異なるデバイスや機構が備えられてもよい。所定の距離以下でのみ通信が可能なものであれば任意のものが用いられてよい。通信媒体も電波等に限定されず、光や磁気等が用いられてもよい。
【０１４７】
また所定の距離以下でのみ通信可能な通信デバイスではなく、大きい通信可能範囲で通信が可能な通信デバイスが用いられる場合でも、受信部が他の単位装置の送信部との物理距離をある程度把握でき、通信相手が近くにいるか否かを判断できれば、上記で説明した配置状態の算出処理を実行することができる。すなわち近傍隣接部とは異なる隣接部に設置された送信部も含めて通信が可能であっても、それらの送信部が近傍隣接部の送信部であるのか、遠い位置の送信部であるのかを判定可能であれば、各送信部からのデータをもとに配置状態を算出することが可能である。
【０１４８】
統合制御装置により、算出された配置状態をもとに、コンテンツとして表示される画像を分割した分割画像の配送先や表示する向き、分割画像のサイズ等が適宜制御されてもよい。配送先とは、２次元状に配置された画像表示装置のことである。このコンテンツの表示の際に、２次元状に配置される複数の画像表示装置の配置状態が意図的に変動されてもよい。すなわち各画像表示装置の位置や向きが変動される、あるいは使用される画像表示装置の数が変動されてもよい。これにより非常に高い意匠性を発揮させることや、エンターテインメント性を発揮させることが可能である。本技術によれば、配置状態の変動に応じて、新たな配置状態を算出することが可能である。従って分割画像の配送先や向き分割画像のサイズ等を適宜変更することが可能である。その結果、適正なコンテンツの表示やシステムの運用を実現させることが可能となる。
【０１４９】
上記の実施形態では、２次元状に複数の画像表示装置が配置され、画像表示システムが構築された。しかしながら画像表示装置以外の情報処理装置が配置される際にも本技術は適用可能である。すなわち配置される単位装置の種類は限定されない。例えばユーザからの操作が入力される入力装置が単位装置として複数並べられてもよい。例えば複数のタッチパネルが２次元状に並べられて１つの大型のタッチパネルとして用いられる、いわゆるグリッド型タッチパネルにおいても、本技術は適用可能である。その他、種々の検査装置等が、複数の単位装置として用いられてもよい。
【０１５０】
なお、本開示中に記載された効果はあくまで例示であって限定されるものでは無く、また他の効果があってもよい。上記の複数の効果の記載は、それらの効果が必ずしも同時に発揮されるということを意味しているのではない。条件等により、少なくとも上記した効果のいずれかが得られることを意味しており、もちろん本開示中に記載されていない効果が発揮される可能性もある。
【０１５１】
以上説明した各形態の特徴部分のうち、少なくとも２つの特徴部分を組み合わせることも可能である。すなわち各実施形態で説明した種々の特徴部分は、各実施形態の区別なく、任意に組み合わされてもよい。
【０１５２】
なお、本技術は以下のような構成も採ることができる。
（１）画像を表示可能な表示部と、
所定の位置関係で前記表示部に設置された複数の隣接部と、
前記複数の隣接部のうち少なくとも２つに設置された、近距離無線通信によりデータを送信可能な送信部と、
前記複数の隣接部のうち少なくとも１つに設置された、前記他の画像表示装置の前記送信部から前記近距離無線通信によりデータを受信可能な受信部と
を具備する画像表示装置。
（２）（１）に記載の画像表示装置であって、
前記送信部は、前記他の画像表示装置の前記複数の隣接部のうち近傍となる隣接部を近傍隣接部として、前記近傍隣接部までを含む範囲で前記データを送信可能であり、
前記受信部は、前記近傍隣接部までを含む範囲で前記近傍隣接部に設置された前記他の画像表示装置の前記送信部からデータを受信可能である
画像表示装置。
（３）（１）又は（２）に記載の画像表示装置であって、
前記表示部は、多角形状を有し、
前記複数の隣接部は、前記多角形状のそれぞれの頂点部である
画像表示装置。
（４）（１）から（３）のうちいずれか１つに記載の画像表示装置であって、
前記表示部は、矩形状を有し、
前記送信部は、前記複数の隣接部となる４つの角部にそれぞれ設置され
前記受信部は、前記４つの角部のうち所定の第１の角部に少なくとも設置される
画像表示装置。
（５）（４）に記載の画像表示装置であって、
前記受信部は、前記４つの角部のうち前記第１の角部と、前記第１の角部の対角の位置にある第２の角部とに少なくとも設置される
画像表示装置。
（６）（４）又は（５）に記載の画像表示装置であって、
前記受信部は、前記４つの角部にそれぞれ設置される
画像表示装置。
（７）（１）から（３）のうちいずれか１つに記載の画像表示装置であって、
前記表示部は、矩形状を有し、
前記受信部は、前記複数の隣接部となる４つの角部のうち所定の第１の角部に少なくとも設置され、
前記送信部は、前記４つの角部のうち前記第１の角部を除く他の３つの角部のうち２つの角部にそれぞれ設置される
画像表示装置。
（８）（１）から（７）のうちいずれか１つに記載の画像表示装置であって、
前記表示部は、使用される向きとして上下の向きが定まっており、前記上下の向きが前記他の画像表示装置の表示部と揃えられて配置される
画像表示装置。
（９）（５）に記載の画像表示装置であって、
前記表示部は、長手方向と短手方向とをそれぞれ有し、前記短手方向を上下方向として上下の向きがいずれの向きでも使用可能であり、
前記受信部は、前記第１及び前記第２の角部にそれぞれ設置される
画像表示装置。
（１０）（１）から（９）のうちいずれか１つに記載の画像表示装置であって、
配置の向きを検出可能な検出部をさらに具備する
画像表示装置。
（１１）（１）から（１０）のうちいずれか１つに記載の画像表示装置であって、
前記送信部は、ＲＦＩＤ（Radio Frequency IDentification）タグであり、
前記受信部は、ＲＦＩＤリーダである
画像表示装置。
（１２）複数の単位装置の動作の少なくとも一部を制御可能な情報処理装置であって、
前記複数の単位装置の各々は、
所定の位置関係を有する複数の隣接部と、
前記複数の隣接部のうち少なくとも２つに設置された、近距離無線通信によりデータを送信可能な送信部と、
前記複数の隣接部のうち少なくとも１つに設置された、前記他の単位装置の前記送信部から前記近距離無線通信によりデータを受信可能な受信部と
を有しており、
前記複数の単位装置の各々が有する前記受信部が前記近距離無線通信により前記送信部から受信した前記データを受信するデータ受信部と、
前記受信したデータをもとに、前記複数の単位装置の配置状態を算出可能な算出部と
を具備する情報処理装置。
（１３）（１２）に記載の情報処理装置であって、
前記複数の単位装置の各々が有する前記送信部及び前記受信部は、前記他の単位装置の前記複数の隣接部のうち近傍となる隣接部を近傍隣接部として、前記近傍隣接部までを含む範囲で前記近距離無線通信が可能であり、
前記情報処理装置は、前記データ受信部が受信したデータをもとに、前記受信部が設置された前記隣接部の近傍となる前記送信部が設置された前記近傍隣接部を有する前記他の単位装置を判定可能であり、前記他の単位装置の前記複数の隣接部の中における前記送信部が設置された前記近傍隣接部の位置を判定可能な判定部をさらに具備し、
前記算出部は、前記判定部による前記近傍隣接部を有する前記他の単位装置の判定結果と、前記近傍隣接部の位置の判定結果とをもとに、前記複数の単位装置の配置状態を算出可能である
情報処理装置。
（１４）（１３）に記載の情報処理装置であって、
前記複数の単位装置の各々は、使用される向きとして上下の向きが定まっており、前記上下の向きが前記他の単位装置と揃えられて配置され、
前記情報処理装置は、前記判定部による判定結果をもとに、前記複数の単位装置のうち前記上下の向きが誤って配置された前記単位装置を検知可能である検知部をさらに具備する
情報処理装置。
（１５）（１２）から（１４）のうちいずれか１つに記載の情報処理装置であって、
前記複数の単位装置の各々は、配置の向きを検出可能な検出部を有し、
前記算出部は、前記検出部により検出された前記単位装置ごとの前記配置の向きをもとに、前記複数の単位装置の配置状態を算出可能である
情報処理装置。
【符号の説明】
【０１５３】
Ｏ…通信可能範囲
１０…画像表示装置
１１…表示画面
１２…フレーム
１３…複数の隣接部
１４、２１４、３１４、４１４、５１４、６１４…ＲＦＩＤタグ
１５、２１５、３１５、４１５、５１５、６１５…ＲＦＩＤリーダ
１６、２１６、３１６、４１６、５１６、６１６…角部
１８…近傍角部
２５…表示部
５０…統合制御装置
６２…近傍隣接部判定部
６３…配置状態算出部
６４…誤配置検知部
１００…画像表示システム
【図１】
2015059948.tif 000003
【図２】
2015059948.tif 000004
【図３】
2015059948.tif 000005
【図４】
2015059948.tif 000006
【図５】
2015059948.tif 000007
【図６】
2015059948.tif 000008
【図７】
2015059948.tif 000009
【図８】
2015059948.tif 000010
【図９】
2015059948.tif 000011
【図１０】
2015059948.tif 000012
【図１１】
2015059948.tif 000013
【図１２】
2015059948.tif 000014
【図１３】
2015059948.tif 000015
【図１４】
2015059948.tif 000016
【図１５】
2015059948.tif 000017
【図１６】
2015059948.tif 000018
【図１７】
2015059948.tif 000019
【図１８】
2015059948.tif 000020
【図１９】
2015059948.tif 000021
【図２０】
2015059948.tif 000022
【図２１】
2015059948.tif 000023